(57)【要約】【課題】  かど金具を下方向へ引っ張ることにより「あそび」の部分に生じたたわみを減少させてねじ込むことができ、しかも、スクリュードライバーは縦木に干渉しないで使用できるようにする。【解決手段】  縦木Ｈと横木Ｄとの接合部に取り付けられるかど金具１であって、前記縦木Ｈの一面に当接する縦当接板部３と、この縦当接板部３から延在し、かつ折曲された前記横木Ｄの一面に当接する横当接板部５とからなり、前記縦当接板部３と前記横当接板部５とのなす角度が、９０度を超え、１１５度以内となっていて、前記角度が好ましくは１０５度であることを特徴とする。【選択図】図１
2005256555.tif 000002
【特許請求の範囲】
【請求項１】
縦木と横木との接合部に取り付けられるかど金具であって、前記縦木の一面に当接する縦当接板部と、この縦当接板部から延在し、かつ折曲された前記横木の一面に当接する横当接板部とからなり、前記縦当接板部と前記横当接板部とのなす角度が、９０度を超え、１２０度以内となっていることを特徴とするかど金具。
【請求項２】
前記角度が好ましくはほぼ１０５度であることを特徴とする請求項１記載のかど金具。
【請求項３】
前記横当接板部に形成される穴は、前記縦木に形成されたほぞ穴を回避すべく横当接板部の左右側に設けられていることを特徴とする請求項１、２記載のかど金具。
【請求項４】
前記縦当接板部の幅は、縦当接板部の高さの１／５〜１／４であることを特徴とする請求項１、２または３記載のかど金具。
【発明の詳細な説明】
【技術分野】
【０００１】
この発明は、縦木としての例えば柱と横木としての例えば土台との結合を強化するためのかど金具に関する。
【背景技術】
【０００２】
従来、縦木としての例えば柱と横木としての例えば土台との結合を強化するためのかど金具１０１は、図４に示されているように、柱の一面に当接する柱当接板部１０３と、この柱当接板部１０３から延在し、かつ９０度に折曲された土台の一面に当接する土台当接板部１０５とからなっている。そして、前記柱当接板部１０３には複数例えば５個のねじ穴１０７が適宜な間隔で形成されていると共に前記土台当接板部１０５にも複数例えば４個のねじ穴１０９が適宜な間隔で形成されている。
【０００３】
上記構成により、図５に示したように、土台Ｄ上に柱Ｈを立てた状態にして、前記かど金具１０１を土台Ｄと柱Ｈとの接合部となるかどにあてがい、スクリュードライバーＳＤの先端に木ねじＮを装着し、前記スクリュードライバーＳＤを直立した状態で駆動させて木ねじＮを前記複数のねじ穴１０９にねじ込み、ついで、木ねじＮを前記複数のねじ穴１０７にねじ込んでかど金具１０１を土台Ｄと柱Ｈに締結させている。
【０００４】
また、図６に示したように、前記複数のねじ穴１０９が前記柱当接板部１０３に近くに形成されている場合には、スクリュードライバーＳＤを直立した状態から傾斜させた状態にしてスクリュードライバーＳＤを駆動させて木ねじＮを前記複数のねじ穴１０９にねじ込むようにして行われている。
【特許文献１】特開平９−２５６４７６号公報
【発明の開示】
【発明が解決しようとする課題】
【０００５】
ところで、上述した従来の図５に示したスクリュードライバーＳＤを直立した状態でかど金具１０１を土台Ｄと柱Ｈに締結した場合には、前記ねじ穴１０９、ねじ穴１０７が土台Ｄと柱Ｈとのかど部より距離が大きいことにより、柱Ｈに上下方向もしくは左右方向の力が働いた場合、図７に示されているように、いわゆる「あそび」の部分Ａが生じてしまい、耐力性が減少してしまうという問題がある。また、木ねじＮをねじ込む順番により、この「あそび」の部分にたわみが生じてしまい、同様の問題が生じる。
【０００６】
また、上述した従来の図６に示したスクリュードライバーＳＤを傾斜させた状態でかど金具１０１を土台Ｄと柱Ｈに締結する場合には、特に土台Ｄにかど金具１０１を締結する場合においては、木ねじＮがねじ込みにくい。また、木ねじＮをねじ込む順番により、この「あそび」の部分にたわみＴが生じてしまい、耐力性が減少してしまうという問題がある。
【０００７】
この発明は上述の課題を解決するためになされたものある。
【課題を解決するための手段】
【０００８】
上記目的を達成するためにこの発明のかど金具は、縦木と横木との接合部に取り付けられるかど金具であって、前記縦木の一面に当接する縦当接板部と、この縦当接板部から延在し、かつ折曲された前記横木の一面に当接する横当接板部とからなり、前記縦当接板部と前記横当接板部とのなす角度が、９０度を超え、１２０度以内となっていることを特徴とするものである。
【０００９】
この発明のかど金具は、前記かど金具において、前記角度が好ましくはほぼ１０５度であることが好ましい。
【００１０】
この発明のかど金具は、前記かど金具において、前記横当接板部に形成される穴は、前記縦木に形成されたほぞ穴を回避すべく横当接板部の左右側に設けられていることが好ましい。
【００１１】
この発明のかど金具は、前記かど金具において、前記縦当接板部の幅は、縦当接板部の高さの１／５〜１／４であることが好ましい。
【発明の効果】
【００１２】
以上のごとき課題を解決するための手段の説明から理解されるように、この発明によれば、前記縦当接板部と前記横当接板部とのなす角度が、９０度を超え、１２０度以内となっていることで、前記横当接板部に形成されるねじ穴を縦当接板部と横当接板部とのかど部の近くに形成することができ、しかも、スクリュードライバーを傾斜させた状態でかど金具を柱に木ねじをねじ込んだ際、かど金具を下方向へ引っ張ることにより「あそび」の部分に生じたたわみを減少させてねじ込むことができる。しかも、スクリュードライバーは縦木に干渉しないで使用できる。
【００１３】
前記横当接板部に形成される穴は、前記縦木に形成されたほぞ穴を回避すべく横当接板部の左右側に設けられているから、ねじ込まれるねじは、ほぞ穴から回避されてねじ込むことができる。
【発明を実施するための最良の形態】
【００１４】
以下、この発明の実施の形態について図面を参照して詳細に説明する。
【００１５】
図１を参照するに、かど金具１は、縦木としての柱の一面に当接する縦当接板部としての柱当接板部３と、この柱当接板部３から延在し、かつ折曲された横木としての例えば土台の一面に当接する横当接板部としての例えば土台当接板部５とからなっている。前記柱当接板部３と前記土台当接板部５とのなす角度θが、９０度を超え、１２０度以内となっていて、好ましくはほぼ１０５度であることが望ましい。前記角度θが１２０度を越えると板厚にもよるが、スクリュードライバーで木ねじをねじ込む際の力で曲げることが難しく、また、かど金具１を柱と土台の接合部であるかどにあてがう状態が安定しなくなり不安定となるため、１２０度以内とするのがよく、望ましくはほぼ１０５度であるのが実験の結果から判明している。
【００１６】
前記柱当接板部３の上下方向の中央から上部に適宜な間隔で複数例えば４個の穴７が形成されていると共に前記土台当接板部５の左右部には折曲部１１の近くに例えば折曲部１１から６ｍｍ程度のところに複数例えばそれぞれ２個の穴９が形成されている。そして、前記柱当接板部３と土台当接板部５とは一体化されて折曲部１１で折り曲げられており、その材質は例えばステンレスなどの金属製からなっていると共に厚さは例えば３ｍｍ程度のものが使用される。前記柱当接板部３の高さは例えば７６ｍｍ、上部の幅は５０ｍｍ、土台当接板部５の幅は例えば１６．８ｍｍ、長さは８０ｍｍとなっている。すなわち、土台当接板部５の幅は柱当接板部３の高さの１／５〜１／４であるのがよい。また、前記各穴７の外周はセレーション加工が施されている。
【００１７】
上記構成により、図２に示したように、土台Ｄ上に柱Ｈを立てた状態にして、前記かど金具１を土台Ｄと柱Ｈとの接合部であるかどにあてがい、スクリュードライバーＳＤの先端に木ねじＮを装着し、前記スクリュードライバーＳＤを傾斜した状態で駆動させて木ねじＮを前記複数のねじ穴９にねじ込むと、図３に示されているように、かど金具１の土台当接板部５が下方向へ引っ張られることで、従来発生していた遊びＡがなくなり、その結果、たわみもなくなって、土台当接板部５が土台Ｄに密着した状態で締結せしめることができる。ついで、木ねじＮを前記複数のねじ穴７にねじ込んでかど金具１０１が土台Ｄと柱Ｈに締結されることになり、補強せしめることができる。
【００１８】
しかも、スクリュードライバーＳＤは傾斜して使用できるため、縦木の柱Ｈに干渉しないで使用できる。前記土台当接板部５に形成される穴９は、前記柱Ｈに形成されたほぞ穴Ｂを回避すべく土台当接板部５の左右側に設けられているから、ねじ込まれる木ねじは、ほぞ穴Ｂから回避されてねじ込むことができる。
【図面の簡単な説明】
【００１９】
【図１】この発明のかど金具の斜視図である。
【図２】この発明のかど金具を柱と土台のかど部にあてがいスクリュードライバーにより木ねじを土台の穴にねじ込む状態の正面図である。
【図３】この発明のかど金具を柱と土台のかど部にあてがいスクリュードライバーにより木ねじを土台の穴にねじ込んだ状態の正面図である。
【図４】従来のかと金具の斜視図である。
【図５】従来のかど金具を柱と土台のかど部にあてがいスクリュードライバーにより木ねじを土台の穴にねじ込んだ状態の正面図である。
【図６】従来のかど金具を柱と土台のかど部にあてがいスクリュードライバーにより木ねじを土台の穴にねじ込んだ状態の他の正面図である。
【図７】従来のかど金具を柱と土台のかど部にあてがいスクリュードライバーにより木ねじを土台の穴にねじ込んだ状態の結果を示した正面図である。
【符号の説明】
【００２０】
１  かど金具
３  柱当接板部（縦当接板部）
５  土台当接板部（横当接板部）
７  穴
９  穴
１１  折曲部
Ｈ  柱（縦木）
Ｄ  土台（横木）
Ｎ  木ねじ
ＳＤ  スクリュードライバー
Ｂ  ほぞ穴
【図１】
2005256555.tif 000003
【図２】
2005256555.tif 000004
【図３】
2005256555.tif 000005
【図４】
2005256555.tif 000006
【図５】
2005256555.tif 000007
【図６】
2005256555.tif 000008
【図７】
2005256555.tif 000009